【手続補正書】
【提出日】平成24年5月8日(2012.5.8)
【手続補正１】
【補正対象書類名】明細書
【補正対象項目名】０００７
【補正方法】変更
【補正の内容】
【０００７】
本発明に係る携帯型電子機器は、第１表示部を有する第１筐体と、第２表示部を有する第２筐体と、現在位置に関する現在位置情報を取得する位置情報取得手段と、前記第１表示部に目的地に関する情報を表示する表示制御手段と、前記第１表示部に表示された前記情報が選択された場合に、前記現在位置から前記目的地までの経路を表した案内地図を取得する案内情報取得手段と、前記第２表示部における表示内容を変更可能か否かを判断する判断手段とを備え、前記案内地図は、前記判断手段により前記第２表示部における表示内容を変更不可と判断されている場合において、前記情報が選択されたときは、前記案内情報取得手段によって取得されない。
また、本発明に係る携帯型電子機器の一態様では、画像データと前記画像データに関連付けられた関連位置情報とを記憶する記憶手段をさらに備え、前記表示制御手段は、前記情報として、前記記憶手段に記憶されている前記画像データに基づく画像を前記第１表示部に表示させ、前記案内情報取得手段は、前記現在位置と前記関連位置情報とに基づいて、前記案内地図を取得する。
また、本発明に係る携帯型電子機器の一態様では、第１表示部を有する第１筐体と、第２表示部を有する第２筐体と、現在位置に関する現在位置情報を取得する位置情報取得手段と、画像データと前記画像データに関連付けられた関連位置情報とを記憶する記憶手段と、前記第１表示部に前記画像データに基づく画像を表示する表示制御手段と、前記第１表示部に表示された前記画像が選択された場合に、前記現在位置情報と前記関連位置情報とに基づいて、前記現在位置から前記関連位置情報によって示される地点までの経路を表した案内地図を取得する案内情報取得手段と、前記第２表示部における表示内容を変更可能か否かを判断する判断手段とを備え、前記案内地図は、前記判断手段により前記第２表示部における表示内容を変更不可と判断されている場合において、前記画像が選択されたときは、前記案内情報取得手段によって取得されない。
また、本発明に係る携帯型電子機器の一態様では、前記判断手段は、特定のアプリケーションソフトウェアが実行されているか否かに基づいて、前記第２表示部における表示内容を変更可能か否かを判断する。
また、本発明に係る携帯型電子機器の一態様では、前記判断手段は、前記特定のアプリケーションソフトウェアが実行されているときは、前記第２表示部における表示内容を変更不可と判断する。
また、本発明に係る携帯型電子機器の一態様では、前記判断手段は、特定のアプリケーションソフトウェアに関する情報が前記第２表示部において表示されているか否かに基づいて、前記第２表示部における表示内容を変更可能か否かを判断する。
また、本発明に係る携帯型電子機器の一態様では、前記表示制御手段は、前記判断手段によって前記第２表示部における表示内容を変更可能と判断されている場合、前記案内地図を前記第１表示部に表示させ、選択された前記画像を前記第２表示部に表示させる。
【手続補正２】
【補正対象書類名】明細書
【補正対象項目名】０００８
【補正方法】変更
【補正の内容】
【０００８】
また、本発明に係る携帯型電子機器の一態様では、携帯型電子機器は、前記第２表示部を視認可能な第１状態と、前記第２表示部を視認不可能な第２状態との間で変位可能に、前記第１筐体と前記第２筐体とを連結する機構と、前記第１状態と前記第２状態とを検出する状態検出手段とをさらに備え、前記表示制御手段は、前記判断手段によって前記第２表示部における表示内容を変更可能と判断された場合、前記案内地図を前記第１表示部に表示させるとともに、前記状態検出手段によって前記第１状態が検出されたときは、選択された前記画像を前記第２表示部に表示させる。
【手続補正３】
【補正対象書類名】明細書
【補正対象項目名】０００９
【補正方法】変更
【補正の内容】
【０００９】
また、本発明に係る携帯型電子機器の一態様では、前記第２表示部を視認可能な第１状態と、前記第２表示部を視認不可能な第２状態との間で変位可能に、前記第１筐体と前記第２筐体とを連結する機構と、前記第１状態と前記第２状態とを検出する状態検出手段と、前記画像データの中から、前記目的地周辺の位置情報を関連付けられた画像データを検索する画像検索手段とをさらに備え、前記表示制御手段は、前記判断手段によって前記第２表示部における表示内容を変更可能と判断された場合、前記案内地図を前記第１表示部に表示させるとともに、前記状態検出手段によって前記第１状態が検出されたときは、前記画像検索手段によって検索された画像データに基づく画像を前記第２表示部に表示させる。
【手続補正４】
【補正対象書類名】明細書
【補正対象項目名】００１０
【補正方法】変更
【補正の内容】
【００１０】
また、本発明に係る携帯型電子機器の一態様では、携帯型電子機器は、前記第１表示部の表示面に設けられた第１タッチパネルと、前記第２表示部の表示面に設けられた第２タッチパネルとをさらに備え、前記表示制御手段は、前記第１タッチパネルまたは前記第２タッチパネル上での所定操作に応じて、第１表示部の表示内容と第２表示部の表示内容とを入れ替える。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、本発明に係る第１表示部および第２表示部を有する携帯型電子機器の動作方法は、ａ）現在位置に関する現在位置情報を取得する工程と、ｂ）前記第１表示部に目的地に関する情報を表示する工程と、ｃ）前記第１表示部に表示された前記情報が選択された場合に、前記現在位置から前記目的地までの経路を表した案内地図を取得する工程と、ｄ）前記第２表示部における表示内容を変更可能か否かを判断する工程とを備え、前記ｃ）工程では、前記ｄ）工程において前記第２表示部における表示内容を変更不可と判断されている場合において、前記情報が選択されたときは、前記案内地図が取得されない。
【手続補正７】
【補正対象書類名】特許請求の範囲
【補正対象項目名】全文
【補正方法】変更
【補正の内容】
【特許請求の範囲】
【請求項１】
第１表示部を有する第１筐体と、
第２表示部を有する第２筐体と、
現在位置に関する現在位置情報を取得する位置情報取得手段と、
前記第１表示部に目的地に関する情報を表示する表示制御手段と、
前記第１表示部に表示された前記情報が選択された場合に、前記現在位置から前記目的地までの経路を表した案内地図を取得する案内情報取得手段と、
前記第２表示部における表示内容を変更可能か否かを判断する判断手段と、
を備え、
前記案内地図は、前記判断手段により前記第２表示部における表示内容を変更不可と判断されている場合において、前記情報が選択されたときは、前記案内情報取得手段によって取得されない携帯型電子機器。
【請求項２】
画像データと前記画像データに関連付けられた関連位置情報とを記憶する記憶手段をさらに備え、
前記表示制御手段は、前記情報として、前記記憶手段に記憶されている前記画像データに基づく画像を前記第１表示部に表示させ、
前記案内情報取得手段は、前記現在位置と前記関連位置情報とに基づいて、前記案内地図を取得する請求項１に記載の携帯型電子機器。
【請求項３】
第１表示部を有する第１筐体と、
第２表示部を有する第２筐体と、
現在位置に関する現在位置情報を取得する位置情報取得手段と、
画像データと前記画像データに関連付けられた関連位置情報とを記憶する記憶手段と、
前記第１表示部に前記画像データに基づく画像を表示する表示制御手段と、
前記第１表示部に表示された前記画像が選択された場合に、前記現在位置情報と前記関連位置情報とに基づいて、前記現在位置から前記関連位置情報によって示される地点までの経路を表した案内地図を取得する案内情報取得手段と、
前記第２表示部における表示内容を変更可能か否かを判断する判断手段と、
を備え、
前記案内地図は、前記判断手段により前記第２表示部における表示内容を変更不可と判断されている場合において、前記画像が選択されたときは、前記案内情報取得手段によって取得されない携帯型電子機器。
【請求項４】
前記判断手段は、特定のアプリケーションソフトウェアが実行されているか否かに基づいて、前記第２表示部における表示内容を変更可能か否かを判断する請求項１から請求項３のいずれかに記載の携帯型電子機器。
【請求項５】
前記判断手段は、前記特定のアプリケーションソフトウェアが実行されているときは、前記第２表示部における表示内容を変更不可と判断する請求項４に記載の携帯型電子機器。
【請求項６】
前記判断手段は、特定のアプリケーションソフトウェアに関する情報が前記第２表示部において表示されているか否かに基づいて、前記第２表示部における表示内容を変更可能か否かを判断する請求項１から請求項３のいずれかに記載の携帯型電子機器。
【請求項７】
前記表示制御手段は、前記判断手段によって前記第２表示部における表示内容を変更可能と判断されている場合、前記案内地図を前記第１表示部に表示させ、選択された前記画像を前記第２表示部に表示させる請求項２または請求項３に記載の携帯型電子機器。
【請求項８】
前記第２表示部を視認可能な第１状態と、前記第２表示部を視認不可能な第２状態との間で変位可能に、前記第１筐体と前記第２筐体とを連結する機構と、
前記第１状態と前記第２状態とを検出する状態検出手段と、
をさらに備え、
前記表示制御手段は、前記判断手段によって前記第２表示部における表示内容を変更可能と判断された場合、前記案内地図を前記第１表示部に表示させるとともに、前記状態検出手段によって前記第１状態が検出されたときは、選択された前記画像を前記第２表示部に表示させる請求項７に記載の携帯型電子機器。
【請求項９】
前記第２表示部を視認可能な第１状態と、前記第２表示部を視認不可能な第２状態との間で変位可能に、前記第１筐体と前記第２筐体とを連結する機構と、
前記第１状態と前記第２状態とを検出する状態検出手段と、
前記画像データの中から、前記目的地周辺の位置情報を関連付けられた画像データを検索する画像検索手段と、
をさらに備え、
前記表示制御手段は、前記判断手段によって前記第２表示部における表示内容を変更可能と判断された場合、前記案内地図を前記第１表示部に表示させるとともに、前記状態検出手段によって前記第１状態が検出されたときは、前記画像検索手段によって検索された画像データに基づく画像を前記第２表示部に表示させる請求項２または請求項３に記載の携帯型電子機器。
【請求項１０】
前記第１表示部の表示面に設けられた第１タッチパネルと、
前記第２表示部の表示面に設けられた第２タッチパネルと、
をさらに備え、
前記表示制御手段は、前記第１タッチパネルまたは前記第２タッチパネル上での所定操作に応じて、第１表示部の表示内容と第２表示部の表示内容とを入れ替える請求項１から請求項９のいずれかに記載の携帯型電子機器。
【請求項１１】
第１表示部および第２表示部を有する携帯型電子機器の動作方法であって、
ａ）現在位置に関する現在位置情報を取得する工程と、
ｂ）前記第１表示部に目的地に関する情報を表示する工程と、
ｃ）前記第１表示部に表示された前記情報が選択された場合に、前記現在位置から前記目的地までの経路を表した案内地図を取得する工程と、
ｄ）前記第２表示部における表示内容を変更可能か否かを判断する工程と、
を備え、
前記ｃ）工程では、前記ｄ）工程において前記第２表示部における表示内容を変更不可と判断されている場合において、前記情報が選択されたときは、前記案内地図が取得されない携帯型電子機器の動作方法。